(57)【要約】【課題】光学部品を台座を介して筐体に固定した光モジュールにおいて、固定された台座を容易に取り外す。【解決手段】光学部品と、光学部品を所定の光軸位置に保持して筐体に固定する台座１０Ａと、を備え、台座１０Ａの一部に、該台座１０Ａを筐体に固定した状態で該台座１０Ａを該筐体から引き離す方向に力を作用させる部位１１Ａ−１を有する切り欠き部１１Ａを設ける。【選択図】図２
2009244376.tif 000002
【特許請求の範囲】
【請求項１】
光学部品を筐体内に固定してなる光モジュールにおいて、
前記光学部品と、
前記光学部品を所定の光軸位置に保持して前記筐体に固定する台座と、
を備え、
前記台座の一部に、該台座を前記筐体に固定した状態で該台座を該筐体から引き離す方向に力を作用させる部位を有する切り欠き部を設けた
ことを特徴とする光モジュール。
【請求項２】
前記切り欠き部は、前記筐体に固定される前記台座の固定面外縁部に沿って設けられていることを特徴とする請求項１に記載の光モジュール。
【請求項３】
前記切り欠き部は、前記筐体に固定される前記台座の固定面外縁部から該固定面の内側に向かって溝状に形成されていることを特徴とする請求項１に記載の光モジュール。
【請求項４】
前記光学部品は、複数の前記台座によって挟み込まれた状態で保持され、
前記切り欠き部は、前記複数の台座の互いに向かい合った前記外縁部に設けられている
ことを特徴とする請求項２又は請求項３に記載の光モジュール。
【請求項５】
前記切り欠き部は、前記筐体に固定される固定面とは異なる面から該台座の内部へ向かって形成された穴又は溝であることを特徴とする請求項１に記載の光モジュール。
【請求項６】
前記穴は、前記固定面まで貫通して形成され、その内面にねじ溝が設けられていることを特徴とする請求項５に記載の光モジュール。
【発明の詳細な説明】
【技術分野】
【０００１】
本発明は、台座を介して光学部品を筐体に固定した構成の光モジュールに関する。
【背景技術】
【０００２】
従来、半導体レーザや光導波路素子、レンズ等を筐体の内部に固定して構成された光モジュールが実用化されている。このような光モジュールの一例として、特許文献１に記載されたものが知られている。特許文献１に記載された光モジュールは、レンズ等の光学素子を取り付けたホルダを横方向から２つの台座で挟み込み、ホルダと台座と筐体とをレーザ溶接あるいは接着剤などによって接合した構成である。この２つの台座は、互いの斜面間の距離及び位置が固定時に調整される。これにより、光学素子の光軸合わせをすることが可能となっている。
【特許文献１】特開２００４−２８６９６６号公報
【発明の開示】
【発明が解決しようとする課題】
【０００３】
ところで、上記のような光軸合わせの後、台座とホルダを固定する製造工程では、台座を、その傾斜面がホルダの角一辺と隙間無く接触する位置に調整することが重要である。接触が不十分な場合は、接合時に強い応力が生じ、光学部品の位置や角度が変わることで光路が大きくずれ、そのままでは次の製造工程に進むことが出来ない。そのような場合、台座とホルダを筐体から一度取り外せば、再度位置調整をして接合をやり直すことが出来る。
【０００４】
しかしながら、特許文献１の図２に示されるように、台座は光学素子の光軸合わせを可能とするためその側面が斜面で形成された楔形の形状をしており、そのため、接合後に光軸を再調整する必要が生じた場合、台座を工具で挟んで筐体から取り外す等の方法がとられており、非常に手間がかかるという問題がある。また、無理矢理取り外そうとすると、工具が滑ったりして近くの別の光学素子を破壊してしまうこともある。
【０００５】
本発明は上記の点に鑑みてなされたものであり、その目的は、光学部品を台座を介して筐体に固定した光モジュールにおいて、固定された台座を容易に取り外すことを可能とすることにある。
【課題を解決するための手段】
【０００６】
本発明は上記の課題を解決するためになされたものであり、光学部品を筐体内に固定してなる光モジュールにおいて、前記光学部品と、前記光学部品を所定の光軸位置に保持して前記筐体に固定する台座と、を備え、前記台座の一部に、該台座を前記筐体に固定した状態で該台座を該筐体から引き離す方向に力を作用させる部位を有する切り欠き部を設けたことを特徴とする。
【０００７】
また、本発明は、上記の光モジュールにおいて、前記切り欠き部は、前記筐体に固定される前記台座の固定面外縁部に沿って設けられていることを特徴とする。
【０００８】
また、本発明は、上記の光モジュールにおいて、前記切り欠き部は、前記筐体に固定される前記台座の固定面外縁部から該固定面の内側に向かって溝状に形成されていることを特徴とする。
【０００９】
また、本発明は、上記の光モジュールにおいて、前記光学部品は、複数の前記台座によって挟み込まれた状態で保持され、前記切り欠き部は、前記複数の台座の互いに向かい合った前記外縁部に設けられていることを特徴とする。
【００１０】
また、本発明は、上記の光モジュールにおいて、前記切り欠き部は、前記筐体に固定される固定面とは異なる面から該台座の内部へ向かって形成された穴又は溝であることを特徴とする。
【００１１】
また、本発明は、上記の光モジュールにおいて、前記穴は、前記固定面まで貫通して形成され、その内面にねじ溝が設けられていることを特徴とする。
【発明の効果】
【００１２】
本発明によれば、台座に設けた切り欠き部に対して台座を筐体から引き離す方向に力を作用させることができるので、筐体に固定された台座を容易に取り外すことが可能である。
【発明を実施するための最良の形態】
【００１３】
以下、図面を参照しながら本発明の実施形態について詳しく説明する。
図１は、本発明の一実施形態による光モジュールの内部の概略構成を示す斜視図である。この光モジュールは、例えばレーザダイオード等の光源から出力された光をレンズ２１によって集光し、光導波路素子３０に形成された光導波路３１へ入射させるものである。なお、本実施形態では、レンズ２１（光学部品２０）によって光源からの出力光を集光する場合の構成を説明するが、本発明は、レンズ２１（光学部品２０）によって光源からの出力光をコリメートする場合にも適用可能である。
【００１４】
図１において、レンズ２１は、光学素子ホルダ２２と一体になって光学部品２０をなしている。この光学部品２０は、対向した２つの台座１０Ａによって挟持されて、それら台座１０Ａ上に固定されている。各台座１０Ａは、その１つの面１０Ａ−１が固定基台１に対して傾斜した傾斜面となっており、この傾斜面１０Ａ−１がそれぞれ上記光学素子ホルダ２２の角をなす１つの辺と接触することにより、光学部品２０を挟持している。また、台座１０Ａは、固定基台１上に固定されている。台座１０Ａの傾斜面１０Ａ−１は、入射光および光導波路３１の光軸と平行であり、これによりレンズ２１の光軸が入射光および光導波路３１の光軸と平行（図中のＺ軸方向）になるようになっている。
【００１５】
光学部品２０は、２つの台座１０Ａ間の距離を変えることで、上記傾斜面１０Ａ−１と光学素子ホルダ２２の角部との接触位置が変わり、固定基台１に対する高さ（図中のＹ軸方向の位置）が変化する。これにより、レンズ２１の光軸高さを調整することができる。
また、光学部品２０と各台座１０Ａとを一体に動かすことで、レンズ２１の光軸を平行移動（図中のＸ軸方向）させることもできる。このようにして、レンズ２１の光軸と光導波路３１の光軸とを合わせる。
【００１６】
図２は、光モジュール内に固定された光学部品２０及び台座１０Ａの部分のみを示している。図２（Ａ）は光モジュール内を上から見た上面図、図２（Ｂ）は光モジュールを光軸方向から見た正面図である。光学部品２０は、光学素子ホルダ２２の角と台座１０Ａの傾斜面１０Ａ−１との接触部分を数箇所レーザ溶接することで、台座１０Ａに接合されている。また、各台座１０Ａは、上記傾斜面１０Ａ−１とは異なる１つの面１０Ａ−２（固定面）と固定基台１の表面とを密着させるように配置し、この固定面１０Ａ−２の外縁部（外周部）を数箇所レーザ溶接することで、固定基台１に接合されている。但し、２つの台座１０Ａの互いに向かい合った辺は、上部に配置された光学部品２０に隠れる位置となるため、溶接は行われない。
なお、本実施形態では、台座１０Ａを固定基台１に溶接して固定する場合を説明するが、固定方法は溶接に限定されず、例えば接着剤を用いて固定する方法としてもよい。
【００１７】
各台座１０Ａは、固定面１０Ａ−２の外縁部をなす辺の一部に切り欠き部１１Ａを有する。この切り欠き部１１Ａは、台座１０Ａを固定基台１に接合した状態で台座１０Ａに対して上向き（台座１０Ａを固定基台１から引き離す向き）に力を作用させることが可能な作用点１１Ａ−１を持つような形状に形成される。図２（Ｂ）では、台座１０Ａが三角形の断面形状を有しており、その一つの角をＬ字形に切り取るような形状で、切り欠き部１１Ａが形成されている。光学部品２０を取り外した後、この切り欠き部１１Ａに棒状あるいは板状の工具４０を差し込み、工具４０に図中Ａ方向の力を加えると、工具４０の先端部が切り欠き部１１ＡのＬ字形状の一辺である作用点１１Ａ−１に上向きの力を及ぼすことになる。これによって、台座１０Ａには、切り欠き部１１Ａが設けられている固定面１０Ａ−２外縁部の一辺と反対側の一辺を支点として、図中Ｂ方向に力が加わり、台座１０Ａを容易に固定基台１から取り外すことができる。
【００１８】
また、図２（Ｂ）において、切り欠き部１１Ａは、固定面１０Ａ−２の外縁部をなす辺のうち、２つの台座１０Ａの互いに向かい合った辺に設けられている。切り欠き部１１Ａをこれとは違う辺に設けてしまうと、その分レーザ溶接をすることができる箇所が減り、完成した光モジュールにおいて台座１０Ａと固定基台１との固定強度が弱くなるという問題があるが、上記２つの台座１０Ａの互いに向かい合った辺は、上述のとおり元々レーザ溶接が不可能な場所であるため、ここに切り欠き部１１Ａを設けたことによる固定強度低下の問題は生じない。
【００１９】
図３は、図２の台座１０Ａの上面図、正面図、及び側面図を示している。図３において、台座１０Ａの切り欠き部１１Ａは、固定面１０Ａ−２の外縁部をなす一辺の端から端までにわたって形成されている。但し、固定面１０Ａ−２の外縁部をなす一辺の一部にのみ同様の切り欠き部１１Ａを設けてもよい。
【００２０】
図４〜図８は、台座に形成する切り欠き部の変形例を示す図である。
図４の台座１０Ｂは、その三角形状の断面における一つの角を、上述の台座１０ＡのようにＬ字形ではなく平面的に切り取ったような形状で、切り欠き部１１Ｂを形成したものである。この台座１０Ｂが固定基台１に固定されている状態で、切り欠き部１１Ｂに図２（Ｂ）と同様の工具を差し込むと、切り欠き部１１Ｂをなす面１１Ｂ−１が、工具の力が加わる作用点となる。よって、上述の台座１０Ａと同様に、台座１０Ｂを容易に固定基台１から取り外すことができる。
【００２１】
図５の台座１０Ｃは、固定基台１との固定面１０Ｃ−２の外縁部から内側に向かって溝状に切り欠き部１１Ｃを形成したものである。この形状の場合、溝状の切り欠き部１１Ｃの天井部分１１Ｃ−１が上述と同様の作用点となる。よって、台座１０Ｃを容易に固定基台１から取り外すことができる。また、図６の台座１０Ｄのように、切り欠き部１１Ｄを固定面１０Ｄ−２外縁部の反対側の辺まで通じるように形成してもよい。
【００２２】
図７の台座１０Ｅは、固定基台１との固定面１０Ｅ−２とは異なる斜面１０Ｅ−１に適宜の径で固定面１０Ｅ−２方向に穴を開けて切り欠き部１１Ｅとしたものである。この穴にねじ５０等の工具を差し込み、ねじ５０に図中Ａ方向の力を加えると、ねじ５０の先端部が穴の内側の一部分である作用点１１Ｅ−１に図中Ｂ方向の力を及ぼす。これにより、台座１０Ｅを容易に固定基台１から取り外すことができる。
【００２３】
図８の台座１０Ｆは、上記の台座１０Ｅにおける穴を固定面１０Ｆ−２まで貫通させ、更にその内側にねじ溝を形成して切り欠き部１１Ｆとしたものである。この穴にねじ５０をねじ込み、ねじ５０の先端部を固定面１０Ｆ−２まで到達させて固定基台１に接触した状態で、更にねじ５０をねじ込むことにより図中Ｃ方向に力を加えると、台座１０Ｆには、切り欠き部１１Ｆ内のねじ溝を介してねじ５０からの反作用力が図中Ｃ方向と反対の方向にかかることになる。この時、ねじ溝が作用点１１Ｆ−１となっている。これにより、台座１０Ｆを容易に固定基台１から取り外すことができる。
【００２４】
以上、図面を参照してこの発明の一実施形態について詳しく説明してきたが、具体的な構成は上述のものに限られることはなく、この発明の要旨を逸脱しない範囲内において様々な設計変更等をすることが可能である。
例えば、光学部品２０は、レンズに限らず、ミラー、光学フィルタ、波長板、光導波路素子、光ファイバの端部、等であってもよい。
【図面の簡単な説明】
【００２５】
【図１】本発明の一実施形態による光モジュールの内部の概略構成を示す斜視図である。
【図２】光モジュール内に固定された光学部品及び台座の部分を示す上面図及び正面図である。
【図３】図２の台座の上面図、正面図、及び側面図である。
【図４】台座に形成する切り欠き部の第１の変形例を示す図である。
【図５】台座に形成する切り欠き部の第２の変形例を示す図である。
【図６】台座に形成する切り欠き部の第３の変形例を示す図である。
【図７】台座に形成する切り欠き部の第４の変形例を示す図である。
【図８】台座に形成する切り欠き部の第５の変形例を示す図である。
【符号の説明】
【００２６】
１０Ａ〜１０Ｆ…台座  １１Ａ〜１１Ｆ…切り欠き部  ２０…光学部品  ２１…レンズ  ２２…光学素子ホルダ  ３０…光導波路素子  ３１…光導波路
【図１】
2009244376.tif 000003
【図２】
2009244376.tif 000004
【図３】
2009244376.tif 000005
【図４】
2009244376.tif 000006
【図５】
2009244376.tif 000007
【図６】
2009244376.tif 000008
【図７】
2009244376.tif 000009
【図８】
2009244376.tif 000010